(57)【要約】      （修正有）【課題】製造者による取付作業を容易ならしめ、取り付け方向のミスに起因する作り直し等の余分なコストや手間を排除する組立家具の連結手段を提供する。【解決手段】基軸部９と基軸部の先端を略直角に折曲してなる頭部３とよりなる略Ｌ字状のフック１の頭部を突出させた状態で、基軸部を回動中心として回動自在に支持するフック基盤１３と、フック１を抱持する受具基盤２１とからなる組立家具の連結手段であり、フック基盤と受具基盤とをそれぞれ合成樹脂により形成する。【選択図】図１４
0003206394.tif 000002
【実用新案登録請求の範囲】
【請求項１】
基軸部と該基軸部の先端を略直角に折曲してなる頭部とよりなる略Ｌ字状のフックを、該頭部を突出させた状態で、該基軸部を回動中心として回動自在に支持するフック基盤と、
該フックを抱持する受具基盤とからなる組立家具の連結手段。
【請求項２】
前記フック基盤と受具基盤とをそれぞれ合成樹脂により形成してなる請求項１に記載の組立家具の連結手段。
【考案の詳細な説明】
【技術分野】
【０００１】
本考案は、組立家具の連結手段に関するものである。
【背景技術】
【０００２】
近年、製造者が最終組み立てをせずに家具等を販売し、購入者に組み立て作業をさせ、コストダウンを図る販売方法が一般的となっている。
【０００３】
従来より、組立家具の連結部は例えばネジなどの固定具を用いてそれぞれ固定する方法もあったが、購入者はネジ止め作業が必要となり、手間がかかる。そこで、製造者が、あらかじめ、係止孔を有する係止基盤を一方の家具構成部材に取付け、略Ｌ字状のフックを有するフック基盤を他方の家具構成部材に取付けておき、購入者はフックを係止基盤に固定する、いわゆる「やり越し金具」による固定方法が一つの方法として存在している。組立家具に当該やり越し金具を付設することにより、組立及び分割が容易になる。
【０００４】
しかし、従来の「やり越し金具」による組立方法の場合、製造者が略Ｌ字状のフックの折れ曲がり方向を間違えてフックを取り付けてそのまま販売してしまう、あるいは、販売前に気が付いても、家具の当該部分の作り直しが必要となるという事例が多く存在し、無駄なコストや手間が発生することが多かった。
【考案の概要】
【考案が解決しようとする課題】
【０００５】
本考案は、従来の「やり越し金具」における上述の如き問題を解決し、製造者が略Ｌ字状のフックの折曲方向を気にせずにフック基盤を家具に取付けることができるようにした組立家具の連結手段を提供しようとしてなされたものである。
【課題を解決するための手段】
【０００６】
本考案は上記課題を解決するために、下記の組立家具の連結手段を提供するものである。
【０００７】
第１考案の組立家具の連結手段は、基軸部と該基軸部の先端を略直角に折曲してなる頭部とよりなる略Ｌ字状のフックを、該頭部を突出させた状態で、該基軸部を回動中心として回動自在に支持するフック基盤と、該フックを抱持する受具基盤とからなるものである。
【０００８】
第２考案の組立家具の連結手段は、前記フック基盤と受具基盤とをそれぞれ合成樹脂により形成してなるものである。
【考案の効果】
【０００９】
第１考案によれば、略Ｌ字状のフックはその基軸部を回動中心として回動自在にフック基盤に支持されているため、製造者が組立家具の構成部材にフック基盤を取り付ける際に、作業者はフックにおける頭部の方向を気にすることなくフック基盤を取り付けることが可能となり、フック基盤の取付け方向のミスは生じ得ないことになり、作業の効率化を図ることができる。更に、製造者によるフック基盤の取り付け方向のミスに起因する作り直し等の余分なコストや手間を排除することができる。
【００１０】
第２考案によれば、前記受具基盤及びフック基盤はそれぞれ合成樹脂からなるため、コストの削減を図ることができる。
【図面の簡単な説明】
【００１１】
【図１】図１は本考案に係る連結手段におけるフックの側面図である。
【図２】図２は本考案に係る連結手段におけるフック基盤の断面図である。
【図３】図３は本考案に係る連結手段におけるフックが、フック基盤に対して基軸部を回動中心として回動する過程を示す断面図である。
【図４】図４は本考案に係る連結手段におけるフックが、フック基盤に対して基軸部を回動中心として回動する過程を示す正面図である。
【図５】図５は本考案に係る連結手段における受具基盤の断面図である。
【図６】図６は本考案に係る連結手段における受具基盤の正面図である。
【図７】図７は本考案に係る連結手段におけるフックの斜視図である。
【図８】図８は本考案に係る連結手段におけるフック基盤の斜視図である。
【図９】図９は本考案に係る連結手段におけるフック基盤の別の斜視図である。
【図１０】図１０は本考案に係る連結手段におけるフックが、基軸部を回動中心として回動する過程を示す斜視図である。
【図１１】図１１は本考案に係る連結手段における受具基盤の斜視図である。
【図１２】図１２は本考案に係る連結手段における受具基盤の別の斜視図である。
【図１３】図１３は本考案に係る連結手段におけるフックを受具基盤に挿入する過程を示す断面図である。
【図１４】図１４は本考案に係る連結手段におけるフックを受具基盤に挿入した後の断面図である。
【図１５】図１５は本考案に係る連結手段におけるフックを受具基盤に挿入した後の斜視図である。
【図１６】図１６は本考案に係る連結手段におけるフック基盤と受具基盤とをそれぞれ組立家具の構成部材に取り付けた状態を示す正面図である。
【考案を実施するための形態】
【００１２】
本考案による組立家具の連結手段は、基軸部９と該基軸部９の先端を略直角に折曲してなる頭部３とよりなる略Ｌ字状のフック１を該頭部３を突出させた状態で該基軸部９を回動中心として回動自在に支持するフック基盤１３と、該フック１を抱持する受具基盤２１とからなるものである。
【００１３】
前記フック基盤１３と前記受具基盤２１とをそれぞれ合成樹脂により形成することが望ましいが、フック１は、金属で形成してもよい。
【００１４】
符号５に示すものはフック１における頭部３の先端部、符号７はフック１の折曲部、符号１１は基軸部９下端の円盤部１１である。フック１の基軸部９は、フック１がフック基盤１３に対して該基軸部９を回動中心として回動自在となるように、円柱状に形成する。ただし、頭部３及び先端部５は、他の形状でも良い。
【００１５】
図２の符号１３に示すものは、フック基盤である。フック基盤１３は、内部に穴部１５が設けられている。穴部１５は、図２に示すように、円柱状穴部１７の基端側に略円錐状穴部１９を連設させてなるものである。
【００１６】
図示の事例においては、フック基盤１３の側面に凹凸部１４を設けている。この凹凸部１４は、滑り止め機能とデザイン的な効果とを発揮するものである。フック基盤１３は、一例として、図８及び図９に示すように、正面視において長方形の両端を円弧状に形成してなる形状とすることもできる。また、材料の節約のため、内部に空間２０を形成することもできる。その場合、フック基盤１３の補強のため、補強板１８を複数枚内在させてもよい。
【００１７】
図５の符号２１に示すものは、受具基盤である。受具基盤２１は図５及び図１２に示すよう、内部に空間部２５が設けられている。空間部２５は、図５、図６及び図１１に示すように、受具基盤２１の前面の肉厚部２７のほぼ中央に形成された係止孔２３を介して外界に連通する。係止孔２３は、前記フック１を挿入可能な大きさに形成されている。また、係止孔の端部２４は、好ましくはフック１の基軸部９に対応する円弧状に形成する。また、受具基盤２１は、一例として、側面に凹凸部２２を設ける。この凹凸部２２は、滑り止め機能とデザイン的な効果を発揮するものである。受具基盤２１は、一例として、図１１、図１２に示すように、正面視において、長方形の両端を円弧状に形成してなる形状とすることもできる。
製造者は、フック基盤１３の下部１６と受具基盤２１の下部２６をそれぞれ接着剤等の固定手段により、組立家具の各構成部材における所定の位置に固定してもよいが、図１６に示すように、フック基盤１３を一方の構成部材にフック１を該構成部材の表面から外方に突出させた状態で埋設し、受具基盤２１を他方の構成部材に該受具基盤２１の係止孔２３を該構成部材の表面に露出させた状態で埋設することが望ましい。図１６における当該一方の構成部材は天板３１であり、当該他方の構成部材は側板３３である。
【００１８】
図３、図４及び図１０に示すものは、フック１が、フック基盤１３に対して基軸部９を回動中心として回動する過程をあらわしたものである。穴部１５の上部である円柱状穴部１７は、フック１の基軸部９と直径をほぼ等しく形成する。円柱状穴部１７の存在により、フック１とフック基盤１３の関係が安定する。また、略円錐状穴部１９の下部にフック１の円盤部１１が陥入しているため、フック１は、フック基盤１３より脱落しない。フック１の頭部３を持ち、基軸部９を回動中心としてフック１を回動させることにより、図示の如く頭部３の向きを変えることができる。
【００１９】
図１３は、フック基盤１３から突出しているフック１を受具基盤２１の内部に挿入しようとする過程を示している。フック１の頭部３を、フック基盤１３の係止孔２３と平行にして挿入する。
【００２０】
図１４、図１５は、フック基盤１３から突出しているフック１を受具基盤２１の内部の空間部２５に挿入した後の状態を示したものである。フック１の頭部３がフック基盤１３より突出している長さは、受具基盤２１の肉厚２７とほぼ等しいかやや大きく形成されている。フック１の頭部３をフック基盤１３の空間部２５に挿入し、固定することにより、フック基盤１３は、受具基盤２５に係止される。
【符号の説明】
【００２１】
１  フック
３  頭部
５  先端部
７  折曲部
９  基軸部
１１  円盤部
１３  フック基盤
１５  穴部
１７  円柱状穴部
１９  略円錐状穴部
２１  受具基盤
２３  係止孔
２５  空間部
２７  肉厚部
３１  天板
３３  側板
【図１】
0003206394.tif 000003
【図２】
0003206394.tif 000004
【図３】
0003206394.tif 000005
【図４】
0003206394.tif 000006
【図５】
0003206394.tif 000007
【図６】
0003206394.tif 000008
【図７】
0003206394.tif 000009
【図８】
0003206394.tif 000010
【図９】
0003206394.tif 000011
【図１０】
0003206394.tif 000012
【図１１】
0003206394.tif 000013
【図１２】
0003206394.tif 000014
【図１３】
0003206394.tif 000015
【図１４】
0003206394.tif 000016
【図１５】
0003206394.tif 000017
【図１６】
0003206394.tif 000018